(57)【特許請求の範囲】
【請求項１】
防災機能を実行するためのスイッチと、
前記スイッチについて第１回目の操作がされた場合は、第１の所定時間の第１のタイマーをＯＮし、前記第１のタイマーがタイムアップした後に前記スイッチのスイッチ機能を実行し、
前記第１のタイマーがタイムアップする前に前記スイッチについて第２回目の操作がされた場合は、前記スイッチのスイッチ機能のガイダンスを行うとともに、第２の所定時間の第２のタイマーをＯＮし、前記第２のタイマーがタイムアップした後に前記スイッチのスイッチ機能を実行し、
前記第２のタイマーがタイムアップする前に前記スイッチについて第３回目の操作がされた場合には、前記スイッチのスイッチ機能をキャンセルする操作制御手段と
を備えたことを特徴とする防災設備の操作盤。
【発明の詳細な説明】
【技術分野】
【０００１】
この発明は、例えば、スイッチ操作を１回行うと、そのスイッチの用途等を音声によりガイダンス（例えば、「もう１度操作するとベルが停止します」）し、２回目の操作が一定時間内に行われない場合には、元の状態に戻る防災設備の操作盤に関するものである。
【背景技術】
【０００２】
従来、自動火災報知設備や消火設備制御装置などの火災受信機や操作盤には、専任の防災監視員が付いていて、火災報知用の音響鳴動機器や防火戸等の連動設備などの防災機器の監視を行っている。大きなビルになるとその防災設備が大規模になり、火災受信機等が大容量、多機能、高機能となっている。近年の技術の進歩で益々その傾向が強くなっている。
【０００３】
一方、近年は高年齢化社会が進み、将来に亘ってその傾向は進むとされている。従って、社会に占める高年齢の職業者が多くなり、防災監視員も同様である。
【０００４】
一般の防災設備の操作については、難しい訳ではないが、一般の他の設備と異なり操作自体の使用頻度が極めて少ないために起こる「取扱い難さ」がある。
【０００５】
さらに、取り扱うのに敬遠しがちになるという循環で身につけることは難しくなる。また、時代が要求する高機能、多機能の設備が増えると益々その取扱いは難しくなる。
【０００６】
また、高齢者の場合には、その操作はなかなか身に付けにくいことになり、特に記憶力、視力、聴力の問題があったりする。
【０００７】
例えば、火災受信機の操作面には、「火災復旧」のスイッチの隣に、「音響一斉」のスイッチがあるが、「火災復旧」を間違えて「音響一斉」を操作すると、全館の地区音響が鳴動する。このため、スイッチ操作をするのに躊躇することがある。
【０００８】
また、例えば、盤面のスイッチには全てスイッチ名が記載されているが、高齢者に限らず見えにくくまたわかりにくく、緊急の場合は遅れることがあった。まして、実際の火事に際しては、気が動転して思うように操作出来なかったりする。
【０００９】
この状態で、実際に火事等が発生した場合、対応が遅れたり、間違えたりして、大事に至る場合があった。
【発明の開示】
【発明が解決しようとする課題】
【００１０】
上述したような従来の防災設備の操作盤では、実際に火事等が発生した場合、防災監視員により、対応が遅れたり、間違えたりして、大事に至る場合があるという問題点があった。
【００１１】
この発明は、前述した問題点を解決するためになされたもので、不慣れな人が取り扱いやすい防災設備の操作盤を得ることを目的とする。
【課題を解決するための手段】
【００１４】
この発明の請求項１に係る防災設備の操作盤は、防災機能を実行するためのスイッチと、前記スイッチについて第１回目の操作がされた場合は、第１の所定時間の第１のタイマーをＯＮし、前記第１のタイマーがタイムアップした後に前記スイッチのスイッチ機能を実行し、前記第１のタイマーがタイムアップする前に前記スイッチについて第２回目の操作がされた場合は、前記スイッチのスイッチ機能のガイダンスを行うとともに、第２の所定時間の第２のタイマーをＯＮし、前記第２のタイマーがタイムアップした後に前記スイッチのスイッチ機能を実行し、前記第２のタイマーがタイムアップする前に前記スイッチについて第３回目の操作がされた場合には、前記スイッチのスイッチ機能をキャンセルする操作制御手段とを備えたものである。
【発明の効果】
【００２２】
この発明の請求項１に係る防災設備の操作盤は、以上説明したとおり、防災機能を実行するためのスイッチと、前記スイッチについて第１回目の操作がされた場合は、第１の所定時間の第１のタイマーをＯＮし、前記第１のタイマーがタイムアップした後に前記スイッチのスイッチ機能を実行し、前記第１のタイマーがタイムアップする前に前記スイッチについて第２回目の操作がされた場合は、前記スイッチのスイッチ機能のガイダンスを行うとともに、第２の所定時間の第２のタイマーをＯＮし、前記第２のタイマーがタイムアップした後に前記スイッチのスイッチ機能を実行し、前記第２のタイマーがタイムアップする前に前記スイッチについて第３回目の操作がされた場合には、前記スイッチのスイッチ機能をキャンセルする操作制御手段とを備えたので、不慣れな人が取り扱いやすいという効果を奏する。
【発明を実施するための最良の形態】
【００２４】
この発明の実施の形態に係る防災設備の操作盤について図面を参照しながら説明する。
【００２５】
図１は、この発明の実施の形態に係る防災システムの全体構成を示す図である。なお、各図中、同一符号は同一又は相当部分を示す。
【００２６】
図１において、１は押釦１ａと応答確認灯１ｂを有する手動操作の発信機、２は定温スポット型感知器、３は差動スポット型感知器、４はイオン化式感知器、５は差動分布型感知器、６は光電式感知器、７はイオン化式感知器（３種）、８は光電式感知器（３種）、９は定温スポット型感知器（特種）である。
【００２７】
また、同図において、１０は連動機器、１１は放送盤、１２はサイレン、１３は消火栓リレー函、１４はポンプ起動盤、１５は消火栓ポンプ、１６は火災表示機、１７は表示機用ベル、１８は地区ベルである。
【００２８】
さらに、同図において、２０は排煙口、非常口、２１はタレ壁、２２は防火戸ダンパ、２３は排煙機、２４は空調ファン、１００は防災監視盤（操作盤）、１０１は地区灯、１０７は排煙地区灯及び起動スイッチ、１３０は主ベル（火報＝火災警報）、電子ブザー（排煙）である。
【００２９】
火災時の処置は、次の通りである。主ベル１３０の鳴動によって建物内の防災監視盤１００の近くの人々、例えば監視員は、火災が発生したことを知る事ができる。監視員は本システムの監視盤１００の地区灯１０１によって発報場所を確認してから次の行動に移る。
【００３０】
（１）火災現場を確認する。
地区灯１０１の点灯により出火場所を確認して、直ちに現場に急行し、状況を確認する。
【００３１】
（２）消火活動を開始する。
消火器、その他によって小火のうちに素早く消し止める。
【００３２】
（３）避難、誘導を開始する。
出火場所、煙の状況などを判断して、適切な誘導を行う。
【００３３】
（４）消防機関へ通報する。
電話で１１９番通報する。
【００３４】
（５）ベルを停止する。
主ベル１３０を停止する時は、主音響停止スイッチ（後述）を停止側に倒す。地区ベル１８を停止する時は、地区音響停止スイッチ（後述）を停止側に倒す。電子ブザー１３０を停止する時は、排煙音響停止スイッチ（後述）を停止側に倒す。表示機用ベル１７を停止する時は、火災表示機１６の音響停止スイッチ（図示せず）を停止側に倒す。
【００３５】
例えば、定温スポット型感知器２が発報すると、主ベル１３０、出火階及び直上階の地区ベル１８が鳴動する。また、排煙地区灯１０７が点滅する。防災監視員は、主ベル１３０を停止後、火災現場へ急行する。火災を確認し、誤報の場合は、地区ベル１８を停止し、誤報の旨、放送する。一方、実際の火災の場合には状況により、音響一斉移報スイッチ（後述）、消火栓ポンプ起動スイッチ（後述）、及び排煙機起動スイッチ（後述）等をＯＮする。
【００３６】
図２は、この発明の実施の形態に係る防災設備の防災監視盤１００の１例としての複合盤の正面の構成を示す図である。
【００３７】
図２において、１０１は地区灯（火報）で、火災発報時、その地区灯１０１が直ちに点灯する。以下同様に、１０２はスイッチ注意灯（赤）（火報）で、後述する各操作スイッチ１１２、１１３、１１５、１１６、１１７、１１９が「定位」の位置にない場合に点滅する。１０３は発信機灯（赤）（火報）で、手動発信機１が押されると点灯する。１０４は火災灯（赤）（火報）で、火災発報時直ちに点灯する。１０５は交流電源灯（緑）で、常時点灯している。１０６は消火栓始動灯（赤）（火報）で、手動発信機１が押され、消火栓ポンプ１５が廻った時，点滅する。１０７は排煙地区灯及び起動スイッチ（照光式押釦、ノンロック）（排煙）で、火災時，その地区灯１０７が点滅する。排煙口２０等の自動開閉装置（図示せず）が動作すると、点滅から点灯に変わる。回路の作動試験時、スイッチの繰作により地区灯１０７は点滅する。また、このスイッチ１０７を繰作すると、その地区の自動開閉装置（図示せず）を遠隔起動できる。１０８は排煙スイッチ注意灯（赤）（排煙）で、後述する各操作スイッチ１２１、１２４が「定位」の位置にない場合に点滅する。１０９は連動遮断灯（赤）（排煙）で、後述する連動遮断スイッチが「定位」の位置にない場合に点滅する。
【００３８】
また、同図において、１１０は電圧計で、常時、電源回路２次側の整流電圧を指示している。指示値が例えば２０．４Ｖ以上（平常時２６Ｖ附近を指示している）であれば、複合盤には正常に電源が供給されていることを示す。また、この電圧計１１０は、火報の感知器回路の導通試験の際に切替わり導通の良否を表示する。また、１１１は電話ジャック（火報）で、総合盤（図示せず）あるいは火災表示機１６からの電話呼出しがあると、本システム内のブザーが鳴動するので、後述する電話器置台１２６の中にある送受話器のプラグを電話ジャック１１１に差し込む。ブザーの鳴動は停止し通話できる。
【００３９】
また、同図において、１１２は主音響停止スイッチ（ロック式、赤色）（火報）で、このスイッチを操作すると主ベル１３０の鳴動が停止する。１１３は地区音響停止スイッチ（ロック式、赤色）（火報）で、このスイッチを操作すると地区ベル１８の鳴動が停止する。１１４は火災復旧スイッチ（ノンロック式）（火報）で、このスイッチを操作すると火報開係の感知器回路および主回路の電源が断となり、感知器などからの信号で動作した本システムの動作が復旧する。なお、煙感知器に煙が入っていて動作している間は復旧できない。１１５は試験復旧スイッチ（ロック式）（火報）で、このスイッテを繰作しておくと信号受信回路の自己保持機能が断となる。熱式感知器の作動試験などの時に使用する。
【００４０】
また、同図において、１１６は火災試験スイッチ（ロック式）（火報）で、このスイッチを操作し後述する回線選択スイッチ１２５を廻すと、本システムの作動確認ができる。１１７は導通試験スイッチ（ロック式）（火報）で、このスイッチを操作し後述する回線選択スイッチ１２５を廻すと、感知器回路の外線の断線の有無が確認できる。外線が正常な場合、電圧計１１０のメーター針が緑帯を示し、外線が断線の場合は赤帯を示す。１１８は予備電源試験スイッチ（ノンロック式）で、このスイッチを操作すると電池の容量試験ができる。電圧計１１０の赤線は、電池の最低電圧値（２０．４Ｖ）を示す。１１９は消火栓遮断スイッチ（ロック式）（火報）で、このスイッチを操作すると、本システムから消火栓リレー函１３への信号回路が遮断され、手動発信機１の操作と連動して消火栓ポンプ１５を始動できなくなる。なお、ポンプを復旧する場合は、ポンプ起動盤１４、ポンプ操作盤により行う。１２０は表示機呼出スイッチ（ノンロック式）（火報）で、このスイッチを操作すると表示機１６を呼出せる。電話によって通話ができる。
【００４１】
また、同図において、１２１は排煙音響停止スイッチ（ロック式、赤色）（排煙）で、このスイッチを操作すると排煙用音響装置（電子ブザー）１３０の鳴動が停止する。１２２は排煙復旧スイッチ（ノンロック式）（排煙）で、このスイッチを操作すると、排煙関係の感知器回路および主回路の電源が断となり、感知器などからの信号で動作した本システムの動作が復旧する。なお、煙感知器に煙が入っていて動作している間は復旧できない。１２３は連動遮断スイッチ（ロック式）（排煙）で、このスイッチを繰作すると、本システムから自動開閉装置への電原回路が遮断され、感知器発報および起動スイッチの操作をしても、自動開閉装置は起動できない。１２４は移報停止スイッチ（ロック式）（排煙）で、このスイッチを操作すると、本システムの排煙関係の作動時の移報信号が遮断される。
【００４２】
また、同図において、１２５は回線選択スイッチ（ロータリー式）（火報）で、スイッチ１１６あるいは１１７を操作し、本スイッチの核当する番号に順次廻していくと、火報関係の作動試験あるいは導通試験ができる。１２６は送受話器（携帯用）（図示せず）の置台で、感知器作動試験など保守点検時には電話器置台に設置されている携帯用送受話器を利用する。表示機または発信機の電話ジャックに送受話器のプラグをさし込めば本システムとの間で通話できる。
【００４３】
さらに、同図において、１４０は消火栓ポンプ起動スイッチで、火災確認の後、押下（ＯＮ）する。ＯＦＦするには、地下などにあるポンプ制御盤を操作する。１４１は排煙機起動スイッチで、ＯＦＦするには別の階にある排煙機制御盤を操作する。１４２は音響一斉移報スイッチで、押下すると地区ベル１８が一斉に鳴動する（全館一斉鳴動）。
である。
【００４４】
図３は、この発明の実施の形態に係る防災設備の操作盤のスイッチを示す図である。
【００４５】
図３において、（ａ）は上操作時の外観を示す斜視図、（ｂ）は上操作時、（ｃ）は平常時（定位）、（ｄ）は下操作時を示す。
【００４６】
図４は、この発明の実施の形態に係る防災設備の操作盤の内部構成を示す図である。
【００４７】
図４において、５０はＣＰＵ（操作制御手段）、５１は音声データや文字データが格納されているメモリ、５２は液晶などの表示装置、５３は音声信号を増幅するアンプ、５４はスピーカである。このアンプ５３及びスピーカ５４は、音声出力手段を構成する。また、６０、６１、６２、６３は消火栓ポンプ起動スイッチ１４０、排煙機起動スイッチ１４１、音響一斉移報スイッチ１４２などの前述した各種のスイッチ、６４、６５、６６は前述した各種の表示灯、地区ベル１８などである。なお、表示装置５２及びスピーカ５４は、図２に示す防災設備の複合盤の正面に設けてもよいし、別の機器に設けてもよい。
【００４８】
つぎに、この実施の形態に係る防災設備の操作盤（複合盤）のスイッチの動作について図面を参照しながら説明する。
【００４９】
（Ａ）同じスイッチに対して、第１の操作をすると、スイッチ機能のガイダンス（音声又は文字等の映像、あるいは音声及び映像を同時に）がなされ、第２の操作をすると、そのスイッチ機能を実行する。第１の操作、第２の操作の例を、（Ａ−１）〜（Ａ−６）の６個それぞれ以下に示す。
【００５０】
（Ａ−１）同じスイッチについて、第１回目の操作と、第２回目の操作とが相当する。これは、ノンロック式のスイッチや、スイッチの操作状態をＣＰＵのソフトで監視してスイッチ状態を決定するいわゆるソフトスイッチ等の場合に特に有効である。
【００５１】
図５は、この発明の実施の形態１に係る防災設備の操作盤のスイッチ操作（Ａ−１）の動作を示すフローチャートである。
【００５２】
ステップ２０１において、ＣＰＵ５０は、例えば音響一斉移報スイッチ１４２について、第１回目の操作がされたかを判断する。
【００５３】
次に、ステップ２０２において、第１回目の操作がされた場合には、スイッチ機能のガイダンスを行う。すなわち、ＣＰＵ５０は、メモリ５１から音響一斉移報スイッチ１４２に対応する音声データを読み出し、アンプ５３を通じてスピーカ５４から出力する。例えば、音声『もう一度押すと、地区ベルが全館鳴動します』がアナウンスされる。あるいは、ＣＰＵ５０は、メモリ５１から音響一斉移報スイッチ１４２に対応する文字データを読み出し、表示装置５２から出力する。例えば、文字『もう一度押すと、地区ベルが全館鳴動します』が表示される。なお、音声及び文字の両者を同時に出力してもよい。
【００５４】
次に、ステップ２０３において、ＣＰＵ５０は、数秒程度のタイマーをＯＮする。なお、スイッチ機能のガイダンスとタイマーのＯＮは、順序が逆でもよく、両方を同時に行ってもよい。
【００５５】
次に、ステップ２０４において、上記タイマーがタイムアップかどうかを判断する。タイムアップの場合は、最初のステップへ戻る。
【００５６】
次に、ステップ２０５において、タイムアップではない場合には、ＣＰＵ５０は、音響一斉移報スイッチ１４２について、第２回目の操作がされたかを判断する。第２回目の操作ではない場合は、ステップ２０４へ戻る。
【００５７】
次に、ステップ２０６において、第２回目の操作の場合には、スイッチ機能を実行する。すなわち、この例では、ＣＰＵ５０は、音響一斉移報スイッチ１４２の機能、つまり地区ベル１８を一斉に鳴動する（全館一斉鳴動）。
【００５８】
（Ａ−２）同じスイッチについて、カメラのシャッターのように、半押しの操作と、全押しの操作とが相当する。
【００５９】
図６は、この発明の実施の形態１に係る防災設備の操作盤のスイッチ操作（Ａ−２）〜（Ａ−６）の動作を示すフローチャートである。
【００６０】
ステップ２１１において、ＣＰＵ５０は、例えば音響一斉移報スイッチ１４２について、第１の操作、つまり半押しの操作がされたかを判断する。
【００６１】
次に、ステップ２１２において、第１の操作、つまり半押しの操作がされた場合には、スイッチ機能のガイダンスを行う。すなわち、ＣＰＵ５０は、メモリ５１から音響一斉移報スイッチ１４２に対応する音声データを読み出し、アンプ５３を通じてスピーカ５４から出力する。例えば、音声『全押しすると、地区ベルが全館鳴動します』がアナウンスされる。あるいは、ＣＰＵ５０は、メモリ５１から音響一斉移報スイッチ１４２に対応する文字データを読み出し、表示装置５２から出力する。例えば、文字『全押しすると、地区ベルが全館鳴動します』が表示される。なお、音声及び文字の両者を同時に出力してもよい。
【００６２】
次に、ステップ２１３において、第１の操作ではない場合には、ＣＰＵ５０は、音響一斉移報スイッチ１４２について、第２の操作、つまり全押しの操作がされたかを判断する。第２の操作ではない場合は、ステップ２１１へ戻る。
【００６３】
次に、ステップ２１４において、第２の操作、つまり全押しの操作の場合には、スイッチ機能を実行する。すなわち、この例では、ＣＰＵ５０は、音響一斉移報スイッチ１４２の機能、つまり地区ベル１８を一斉に鳴動する（全館一斉鳴動）。
【００６４】
（Ａ−３）同じスイッチについて、一方の操作と、他方の操作とが相当する。例えば、図３に示すように、上操作と、下操作である。また、左操作と、右操作などがある。なお、上下と左右が逆でもよい。これは、ノンロック式のスイッチやロック式のスイッチの場合に特に有効である。
【００６５】
（Ａ−４）同じスイッチについて、瞬間押しの操作と、長押しの操作とが相当する。なお、瞬間押しの操作と長押しの操作とが逆でもよい。これは、ノンロック式のスイッチやソフトスイッチの場合に特に有効である。
【００６６】
（Ａ−５）同じスイッチについて、ダブルクリックとシングルクリックのように、２回押しの操作と、１回押しの操作とが相当する。なお、２回押しの操作と１回押しの操作とが逆でもよい。
【００６７】
（Ａ−６）同じスイッチについて、モードが説明モード時の操作と、実行モード時の操作とが相当する。モードの切り替えは、タッチパネルなどの別のスイッチで行う。
【００６８】
（Ｂ）あるスイッチに対して、操作をすると、留保され、あるいはスイッチ機能のガイダンス（音声又は文字等の映像、あるいは音声及び映像を同時に）がなされ、その後解除されなければスイッチ機能を実行する。
【００６９】
（Ｂ−７）あるスイッチについて、操作した後、一定時間以内（例えば留保ランプ点灯）に、別のスイッチで解除操作をするとスイッチ機能が実行されない。
【００７０】
（Ｂ−８）上記の（Ｂ−７）において、例えば音声『４秒以内に解除スイッチが押されなければ〜を実行します』のガイダンスがなされる。
【００７１】
（Ｂ−９）上記の（７）において、解除操作が、同じスイッチを操作することであるもの。
【００７２】
図７は、この発明の実施の形態１に係る防災設備の操作盤のスイッチ操作（Ｂ−９）の動作を示すフローチャートである。
【００７３】
ステップ２２１において、ＣＰＵ５０は、例えば音響一斉移報スイッチ１４２について、第１回目の操作がされたかを判断する。第１回目の操作が行われない場合は、最初のステップへ戻る。
【００７４】
次に、ステップ２２２において、第１回目の操作がされた場合には、ＣＰＵ５０は、例えば４秒のタイマーをＯＮする。
【００７５】
次に、ステップ２２３において、スイッチ機能のガイダンスを行う。すなわち、ＣＰＵ５０は、メモリ５１から音響一斉移報スイッチ１４２に対応する音声データを読み出し、アンプ５３を通じてスピーカ５４から出力する。例えば、音声『４秒以内にもう一度押さなければ、地区ベルが全館鳴動します』がアナウンスされる。あるいは、ＣＰＵ５０は、メモリ５１から音響一斉移報スイッチ１４２に対応する文字データを読み出し、表示装置５２から出力する。例えば、文字『４秒以内にもう一度押さなければ、地区ベルが全館鳴動します』が表示される。なお、音声及び文字の両者を同時に出力してもよい。また、タイマーのＯＮとスイッチ機能のガイダンスは、順序が逆でもよく、両方を同時に行ってもよい。
【００７６】
次に、ステップ２２４において、上記タイマーがタイムアップ（４秒）かどうかを判断する。
【００７７】
次に、ステップ２２５において、タイムアップの場合は、スイッチ機能を実行する。すなわち、この例では、ＣＰＵ５０は、音響一斉移報スイッチ１４２の機能、つまり地区ベル１８を一斉に鳴動する（全館一斉鳴動）。
【００７８】
次に、ステップ２２６において、スイッチ機能の実行をアナウンスする。例えば、音声『地区ベル全館鳴動が実行されました』がアナウンスされる。
【００７９】
次に、ステップ２２７において、タイムアップではない場合には、ＣＰＵ５０は、音響一斉移報スイッチ１４２について、第２回目の操作がされたかを判断する。第２回目の操作ではない場合は、ステップ２２４へ戻る。
【００８０】
次に、ステップ２２８において、第２回目の操作の場合には、スイッチ機能をキャンセルする。
【００８１】
次に、ステップ２２９において、スイッチ機能のキャンセルをアナウンスする。例えば、音声『地区ベル全館鳴動はキャンセルされました』がアナウンスされる。
【００８２】
（Ｂ−１０）スイッチを操作した後、一定時間以内に同じスイッチを操作すると、スイッチ機能のガイダンスが行なわれ、更に一定時間以内に同じスイッチを解除操作するとスイッチ機能が実行されない。
【００８３】
図８は、この発明の実施の形態１に係る防災設備の操作盤のスイッチ操作（Ｂ−１０）の動作を示すフローチャートである。
【００８４】
ステップ２３１において、ＣＰＵ５０は、例えば音響一斉移報スイッチ１４２について、第１回目の操作がされたかを判断する。第１回目の操作が行われない場合は、最初のステップへ戻る。
【００８５】
次に、ステップ２３２において、第１回目の操作がされた場合には、ＣＰＵ５０は、例えば４秒のタイマーをＯＮする。
【００８６】
次に、ステップ２３３において、上記タイマーがタイムアップ（４秒）かどうかを判断する。タイムアップの場合は、ステップ２４０へ進む。
【００８７】
次に、ステップ２３４において、タイムアップではない場合には、ＣＰＵ５０は、音響一斉移報スイッチ１４２について、第２回目の操作がされたかを判断する。第２回目の操作ではない場合は、ステップ２３３へ戻る。
【００８８】
次に、ステップ２３５において、第２回目の操作である場合には、スイッチ機能のガイダンスを行う。すなわち、ＣＰＵ５０は、メモリ５１から音響一斉移報スイッチ１４２に対応する音声データを読み出し、アンプ５３を通じてスピーカ５４から出力する。例えば、音声『４秒以内にもう一度押さなければ、地区ベルが全館鳴動します』がアナウンスされる。あるいは、ＣＰＵ５０は、メモリ５１から音響一斉移報スイッチ１４２に対応する文字データを読み出し、表示装置５２から出力する。例えば、文字『４秒以内にもう一度押さなければ、地区ベルが全館鳴動します』が表示される。なお、音声及び文字の両者を同時に出力してもよい。
【００８９】
次に、ステップ２３６において、ＣＰＵ５０は、再度、例えば４秒のタイマーをＯＮする。なお、スイッチ機能のガイダンスとタイマーのＯＮは、順序が逆でもよく、両方を同時に行ってもよい。
【００９０】
次に、ステップ２３７において、上記タイマーがタイムアップ（４秒）かどうかを判断する。タイムアップの場合は、ステップ２４０へ進む。
【００９１】
次に、ステップ２３８において、タイムアップではない場合には、ＣＰＵ５０は、音響一斉移報スイッチ１４２について、第３回目の操作がされたかを判断する。第３回目の操作ではない場合は、ステップ２３７へ戻る。
【００９２】
次に、ステップ２３９において、第３回目の操作の場合には、スイッチ機能をキャンセルする。
【００９３】
次に、ステップ２４０において、タイムアップの場合は、スイッチ機能を実行する。すなわち、この例では、ＣＰＵ５０は、音響一斉移報スイッチ１４２の機能、つまり地区ベル１８を一斉に鳴動する（全館一斉鳴動）。
【００９４】
（Ｂ−１１）上記（Ａ）、（Ｂ）を組み合わせたものや、（Ｂ−１２）上記機能（説明機能、留保機能、留保後解除機能など）を有するか有しないかのモードを選択する切換スイッチを備えたものなどがある。
【図面の簡単な説明】
【００９５】
【図１】この発明の実施の形態に係る防災システムの全体構成を示す図である。
【図２】この発明の実施の形態に係る防災設備の操作盤の正面の構成を示す図である。
【図３】この発明の実施の形態に係る防災設備の操作盤のスイッチを示す図である。
【図４】この発明の実施の形態に係る防災設備の操作盤の内部構成を示す図である。
【図５】この発明の実施の形態１に係る防災設備の操作盤のスイッチ操作（Ａ−１）の動作を示すフローチャートである。
【図６】この発明の実施の形態１に係る防災設備の操作盤のスイッチ操作（Ａ−２）〜（Ａ−６）の動作を示すフローチャートである。
【図７】この発明の実施の形態１に係る防災設備の操作盤のスイッチ操作（Ｂ−９）の動作を示すフローチャートである。
【図８】この発明の実施の形態１に係る防災設備の操作盤のスイッチ操作（Ｂ−１０）の動作を示すフローチャートである。
【符号の説明】
【００９６】
２  定温スポット型感知器、１８  地区ベル、５０  ＣＰＵ、５１  メモリ、５２  表示装置、５３  アンプ、５４  スピーカ、１００  防災設備、１４０  消火栓ポンプ起動スイッチ、１４１  排煙機起動スイッチ、１４２  音響一斉移報スイッチ。
【図１】
0004664613.tif 000002
【図２】
0004664613.tif 000003
【図３】
0004664613.tif 000004
【図４】
0004664613.tif 000005
【図５】
0004664613.tif 000006
【図６】
0004664613.tif 000007
【図７】
0004664613.tif 000008
【図８】
0004664613.tif 000009